(57)【要約】【課題】水密区画に対して容易に重量物等を出し入れすることができる船舶を提供する。【解決手段】船舶は、水密隔壁７と、水密扉１０と、シール装置１６とを備える。シール装置１６は、水密扉１０と水密隔壁７との間の水密性を確保する。水密扉１０の外周部１４は、下方に配置された前記甲板に沿って延びる下縁部１４ｄを備える。この下縁部１４ｄに形成されたシール取付面１５は、下方を向いて形成されて水密扉１０を閉塞する方向に突出する第一シール取付面２０と、水密扉１０の幅方向の外側を向いて形成されて水密扉１０の幅方向における第一シール取付面２０の両端縁から上方に向かって立ち上がるように形成された第二シール取付面２１と、第二シール取付面２１のうち水密扉を開放する方向の端縁から水平方向に延びるように形成された第三シール取付面と、を備える。【選択図】図３
2018176946.tif 000002
【特許請求の範囲】
【請求項１】
上下に隣り合う甲板の間を渡るように配置されて水密区画を形成する水密隔壁と、
前記水密隔壁に形成された開口部を開閉可能な水密扉と、
前記水密扉の外周部の全周に連続して形成されたシール取付面に取り付けられて、前記水密扉が閉塞されたときに圧縮変形して、前記水密扉と前記水密隔壁との間の水密性を確保するシール装置と、を備え、
前記外周部は、
下方に配置された前記甲板に沿って延びる下縁部を備え、
前記下縁部に形成された前記シール取付面は、
下方を向いて形成されて前記水密扉を閉塞する方向に突出する第一シール取付面と、
前記水密扉の幅方向の外側を向いて形成されて前記水密扉の幅方向における前記第一シール取付面の両端縁から上方に向かって立ち上がるように形成された第二シール取付面と、
前記第二シール取付面のうち前記水密扉を開放する方向の端縁から水平方向に延びるように形成された第三シール取付面と、を備える船舶。
【請求項２】
前記水密扉は、
前記第一シール取付面を上下方向に変位させる第一押圧機構と、
前記第二シール取付面を前記幅方向に変位させる第二押圧機構と、を備える請求項１に記載の船舶。
【請求項３】
前記水密扉は、
前記第一シール取付面の上方で、且つ、二つの前記第二シール取付面の間となる位置に、前記水密扉を開放する方向に開口し前記第一押圧機構と前記第二押圧機構とを収容する凹部を備える請求項２に記載の船舶。
【請求項４】
前記水密扉は、
前記外周部よりも内側に配置される子扉用開口部と、
前記子扉用開口部を開閉する子扉と、
前記子扉が閉塞された状態で、前記子扉用開口部の開口縁と前記子扉の外周部との間の水密性を確保する子扉用シール装置と、を備える請求項１から３の何れか一項に記載の船舶。
【請求項５】
前記水密扉は、
前記第一シール取付面及び前記第二シール取付面に、それぞれスリットを備える請求項１から４の何れか一項に記載の船舶。
【請求項６】
前記水密隔壁は、
その厚さ方向で、前記水密扉とは反対側に突出するように形成されるとともに上方を向いて形成された第一シール対向面と、
前記水密扉の幅方向における前記第一シール対向面の両端縁から上方に向かって立ち上がるように形成されるとともに、前記開口部の幅方向の内側を向いて形成された第二シール対向面と、
前記第二シール対向面のうち前記水密扉に近い側から水平方向に延びるように形成された第三シール対向面と、を備える請求項１から５の何れか一項に記載の船舶。
【発明の詳細な説明】
【技術分野】
【０００１】
この発明は、水密扉を備えた船舶に関する。
【背景技術】
【０００２】
艦艇などの船舶においては、一般に、船殻の内部に複数の水密区画が形成されている。この水密区画は、上下で隣り合う２つの甲板の間の空間が、船首尾方向に延びる縦通隔壁や船幅方向に延びる横置隔壁により仕切られて形成されている。このように形成された水密区画は、その内部に作業者等が出入り可能なように開口部を有している。とりわけ出入りの頻度が高い水密区画や、機器等を設置する必要が有る水密区画などには、はしご等を用いずに歩いて出入りができるように、ヒンジにより開閉可能な水密扉が取り付けられている。
【０００３】
特許文献１には、船舶用の扉ではないが、水の浸入を防止可能な防水扉をバリアフリー化する技術が記載されている。
【先行技術文献】
【特許文献】
【０００４】
【特許文献１】特開２０１４−３４８４１号公報
【発明の概要】
【発明が解決しようとする課題】
【０００５】
ところで、船舶の水密扉においては、横置隔壁や縦通隔壁などの水密隔壁の開口部の全周に渡ってシール装置を設置する必要が有る。つまり、開口部の下部にも、水密扉との間でシール装置を挟み込むためのシール座面を設ける必要が有り、開口部の下縁が床面から突出してしまう。そのため、この突出した部分につまずいたり、重量物を台車等で運搬する際に突出した部分が邪魔になったりするという課題がある。
また、特許文献１に記載の防水扉は、止水保持枠を床面部から出し入れすることで、防水扉を使用しないときに床面部をバリアフリー化することができるようになっている。しかし、船舶の場合、扉の下方が甲板であるため、実質的に止水保持枠を収容するスペースを確保することができない。
この発明は、上記事情に鑑みてなされたものであり、水密区画に対して容易に重量物等を出し入れすることができる船舶を提供するものである。
【課題を解決するための手段】
【０００６】
上記の課題を解決するために以下の構成を採用する。
この発明の第一態様によれば、船舶は、上下に隣り合う甲板の間を渡るように配置されて水密区画を形成する水密隔壁と、前記水密隔壁に形成された開口部を開閉可能な水密扉と、前記水密扉の外周部の全周に連続して形成されたシール取付面に取り付けられて、前記水密扉が閉塞されたときに圧縮変形して、前記水密扉と前記水密隔壁との間の水密性を確保するシール装置と、を備え、前記外周部は、下方に配置された前記甲板に沿って延びる下縁部を備え、前記下縁部に形成された前記シール取付面は、下方を向いて形成されて前記水密扉を閉塞する方向に突出する第一シール取付面と、前記水密扉の幅方向の外側を向いて形成されて前記水密扉の幅方向における前記第一シール取付面の両端縁から上方に向かって立ち上がるように形成された第二シール取付面と、前記第二シール取付面のうち前記水密扉を開放する方向の端縁から水平方向に延びるように形成された第三シール取付面と、を備える。
このように構成することで、下方を向く第一シール取付面と、開口部の下縁部の上面との間にシール装置が挟み込まれる。つまり、開口部の下縁部に、水密扉を開放する方向である水平方向を向く面を形成する必要が無くなる。そのため、第一シール取付面に対向する開口部の下縁部の高さを低くすることができる。
したがって、水密区画に対して容易に重量物等を出し入れすることができる。
【０００７】
この発明の第二態様によれば、第一態様に係る水密扉は、前記第一シール取付面を上下方向に変位させる第一押圧機構と、前記第二シール取付面を前記幅方向に変位させる第二押圧機構と、を備えるようにしてもよい。
このように構成することで、第一押圧機構により第一シール取付面と開口部の下縁部との間に配置されたシール装置を十分に圧縮変形させることができる。また、第二押圧機構により第二シール取付面と開口部の下縁部との間に配置されたシール装置を十分に圧縮変形させることができる。
したがって、水密扉と開口部の下縁部との間の水密性を十分に確保することができる。
【０００８】
この発明の第三態様によれば、第二態様に係る水密扉は、前記第一シール取付面の上方で、且つ、二つの前記第二シール取付面の間となる位置に、前記水密扉を開放する方向に開口し前記第一押圧機構と前記第二押圧機構とを収容する凹部を備えてもよい。
このように構成することで、第一押圧機構と第二押圧機構とを凹部に収容させることができる。また、凹部が水密扉を開放する方向に開口するので、第一押圧機構及び第二押圧機構の操作や調整を容易に行うことができる。
【０００９】
この発明の第四態様によれば、第一から第三態様の何れか一つの態様に係る水密扉は、前記外周部よりも内側に配置される子扉用開口部と、前記子扉用開口部を開閉する子扉と、前記子扉が閉塞された状態で、前記子扉用開口部の開口縁と前記子扉の外周部との間の水密性を確保する子扉用シール装置と、を備えていてもよい。
このようにすることで、例えば、水密扉を閉塞しつつ、子扉を介して水密区画の人の出入りが可能となる。また、子扉用開口部の下側の開口縁に達しない程度の水が床面に沿って流れている場合、水密区画に対する人の出入りを可能としつつ、床面に沿って流れる水が水密区画内に流入することを抑制できる。さらに、子扉用シール装置を用いたシール機構としては、一般的なシール機構を用いることができるため、開閉時の手順を簡素化できる。そのため、子扉を容易に開閉することができる。
【００１０】
この発明の第五態様によれば、第一から第四態様の何れか一つの態様に係る水密扉は、前記第一シール取付面及び前記第二シール取付面に、それぞれスリットを備えていてもよい。
このように構成することで、第一シール取付面と第二シール取付面とを容易に変位させることができる。そのため、第一シール取付面と第二シール取付面とに取り付けられたシール装置を容易に圧縮変形させることができる。
【００１１】
この発明の第六態様によれば、第一から第五態様の何れか一つの態様に係る水密隔壁は、その厚さ方向で、前記水密扉とは反対側に突出するように形成されるとともに上方を向いて形成された第一シール対向面と、前記水密扉の幅方向における前記第一シール対向面の両端縁から上方に向かって立ち上がるように形成されるとともに、前記開口部の幅方向の内側を向いて形成された第二シール対向面と、前記第二シール対向面のうち前記水密扉に近い側から水平方向に延びるように形成された第三シール対向面と、を備えていてもよい。
このように構成することで、それぞれ第一シール取付面と第一シール対向面との間にシール装置を挟み込むことができる。さらに、第二シール取付面と第二シール対向面との間にシール装置を挟み込むことができる。さらに、第三シール取付面と第三シール対向面との間にシール装置を挟み込むことができる。そのため、水密扉の下縁部と開口部の下縁部との間の水密構造の信頼性を向上できる。
【発明の効果】
【００１２】
上記船舶によれば、水密区画に対して容易に重量物等を出し入れすることができる。
【図面の簡単な説明】
【００１３】
【図１】この発明の実施形態における船舶の概略構成を示す構成図である。
【図２】この発明の実施形態における船舶の水密区画を示す概略構成図である。
【図３】この発明の実施形態における水密扉を開放側から見た正面図である。
【図４】この発明の実施形態における親扉を閉塞側から見た斜視図である。
【図５】この発明の実施形態における親扉を開放側から見た斜視図である。
【図６】この発明の実施形態における開放側から見た水密扉の下縁部を拡大した分解斜視図である。
【図７】この発明の実施形態における第一押圧機構及び第二押圧機構の概略構成を示す斜視図である。
【発明を実施するための形態】
【００１４】
次に、この発明の実施形態における船舶を図面に基づき説明する。この実施形態では、船舶が艦艇である場合を一例に説明するが、水密区画を有する船舶であれば艦艇に限られず商船等であってもよい。
【００１５】
図１は、この発明の実施形態における船舶の概略構成を示す構成図である。図２は、この発明の実施形態における船舶の水密区画を示す概略構成図である。
図１、図２に示すように、この実施形態における船舶１００は、護衛艦等の艦艇であり、船体（船殻とも言う）２と、上部構造３と、を有している。船体２は、左右の舷側４と、船底５と、複数の甲板６と、複数の水密隔壁７と、を備えている。上部構造３は、複数の甲板６のうち最も上方に配置された上甲板（暴露甲板とも言う）６ａの上に形成されている。この実施形態における船舶１００の上部構造３は、船首尾方向の中央部に配置され、艦橋３ａや居住区等を備えている。
【００１６】
図２に示すように、複数の甲板６は、船首尾方向に延びる板状に形成され、舷側４及び船底５により形成された内部空間を上下に区画している。これら複数の甲板６により、船体２の内部に複数の階層が形成されている。ここで、船体２の内部には、一般に、上下に隣り合う甲板６の間に、水密性を確保可能な水密区画８と非水密の区画（図示せず）との２種類の区画が形成されている。
【００１７】
複数の水密隔壁７は、上下に隣り合う甲板６の間を渡るように配置されている。これら水密隔壁７は、上記水密区画８を、上下に隣り合う甲板６と共に形成している。水密隔壁７としては、例えば、船首尾方向に延びる縦通隔壁や、船幅方向に延びる横置隔壁がある。これら水密隔壁７は、水密区画８の点検や水密区画８への機器の設置等のために、水密区画８の内部に人が立ち入りできるように開口部９が形成されている場合がある。なお、この実施形態においては、水密区画８が甲板６と水密隔壁７とによって形成される場合を一例に説明するが、例えば、舷側４に隣接する水密区画８は、その一部が、舷側４を形成する舷側外板によって形成される場合がある。また、水密区画８が隣り合うように形成されている場合、これら水密区画８同士の間を行き来するために二つの水密区画８を隔てる水密隔壁７が開口部９を備えている場合もある。
【００１８】
図３は、この発明の実施形態における水密扉を開放側から見た正面図である。
図３に示すように、水密隔壁７の開口部９は、水密扉１０によって開閉可能となっている。なお、この実施形態においては、水密扉１０を水密隔壁の開口部９の周縁に取り付ける場合を一例に説明するが、水密隔壁７の開口部９に扉枠（図示せず）を取り付けて、この扉枠に水密扉１０を取り付けるようにしても良い。以下の説明において、水密扉１０を閉塞する方向を閉塞方向「Ｄｃ」、水密扉１０を開放する方向を閉塞方向「Ｄｏ」とする。また、以下の説明において、「左」及び「右」は、図３に示す水密扉１０における左方向及び右方向を意味する。
【００１９】
水密扉１０は、親扉１１と、子扉１２と、を備えている。この実施形態における親扉１１及び子扉１２は、角部が円弧状又は直線状に面取りされた上下に長い長方形とされている。親扉１１の中央部には、子扉１２によって開閉される子扉用開口部１３が形成されている。親扉１１は、親ヒンジＨ１を介して水密隔壁７に支持され、子扉１２は、子ヒンジＨ２を介して親扉１１に支持されている。親扉１１は、ハンドルｈ１の操作により水密隔壁７に押し付けられた状態でロックすることが可能となっている。同様に、子扉１２は、ハンドルｈ２の操作により親扉１１に押し付けられた状態でロックすることが可能となっている。
【００２０】
親扉１１は、その外周部１４の全周に連続するようにシール取付面１５を備えている。ここで、外周部１４とは、子扉用開口部１３よりも外側の領域、すなわち上下と左右に形成された水密扉１０の外縁から水密扉１０の内側に向かって所定の幅を有した領域を意味している。この外周部１４は、上方に配置される甲板６に沿って形成された上縁部１４ａと、上縁部１４ａの両端から下方に向かって形成された右縁部１４ｂ及び左縁部１４ｃと、下方に配置される甲板６に沿って形成された下縁部１４ｄとを備えている。
【００２１】
シール取付面１５は、外周部１４の全周に連続するように形成され、シール装置１６が取り付け可能となっている。このシール取付面１５は、外周部１４の上縁部１４ａ、左縁部１４ｃ、及び右縁部１４ｂにおいて、水密扉１０すなわち親扉１１を閉塞する閉塞方向Ｄｃ（図４参照）を向いて形成されている。これら上縁部１４ａ、左縁部１４ｃ、及び右縁部１４ｂに形成されるシール取付面１５は、親扉１１が閉塞された状態で、開口部９の周縁の水密隔壁７と対向するように配置されている。つまり、親扉１１を閉塞することで、親扉１１と水密隔壁７との間にシール装置１６を挟み込み、さらに親扉１１を閉塞する閉塞方向Ｄｃにシール装置１６を押圧して圧縮変形させることができる。
【００２２】
図４は、この発明の実施形態における親扉を閉塞側から見た斜視図である。図５は、この発明の実施形態における親扉を開放側から見た斜視図である。図６は、この発明の実施形態における開放側から見た水密扉の下縁部を拡大した分解斜視図である。なお、図４、図５において、ハンドルｈ１及び親ヒンジＨ１の図示を省略している。
【００２３】
図４から図６に示すように、水密扉１０の親扉１１は、その下縁部１４ｄに、水密扉１０を閉塞する閉塞方向Ｄｃに突出する突出部１７を備えている。この突出部１７は、水密扉１０の幅方向に長い直方体状に形成されている。この突出部１７は、その長さが子扉用開口部１３の下縁１３ａの長さよりも短く形成されている。この実施形態における突出部１７は、子扉用開口部１３の下縁１３ａから、水密扉１０を閉塞する閉塞方向Ｄｃに広がる突出部上面１７ａを有している。なお、この実施形態における突出部１７は、水密扉１０の正面視で、その下側の角部がそれぞれ丸く形成されている。
【００２４】
水密扉１０の下縁部１４ｄに形成されたシール取付面１５は、第一シール取付面２０と、第二シール取付面２１と、第三シール取付面２２と、を備えている。
第一シール取付面２０は、下方を向いて形成されて水密扉１０を閉塞する閉塞方向Ｄｃに突出している。この実施形態における第一シール取付面２０は、上述した直方体状に形成された突出部１７の底面により構成されている。
【００２５】
第二シール取付面２１は、水密扉１０の幅方向における第一シール取付面２０の両端縁からそれぞれ上方に向かって立ち上がるように形成されている（図３参照）。これら第二シール取付面２１は、それぞれ水密扉１０の幅方向における左右外側を向いて形成されている。これら第二シール取付面２１は、上述した突出部１７の左右の側面により構成されている。この実施形態においては、第二シール取付面２１が鉛直方向に延びる場合を例示しているが、「鉛直」に限られるものではない。
【００２６】
図６に示すように、第三シール取付面２２は、第二シール取付面２１における開放方向Ｄｏの端縁２１ａから水平方向に延びるように形成されている。この第三シール取付面２２は、上述した外周部１４の上縁部１４ａ、左縁部１４ｃ、及び右縁部１４ｂと同様に、水密扉１０の閉塞方向Ｄｃを向いて形成されている。なお、この実施形態におけるシール取付面１５は平面状に形成される場合を例示しているが、シール装置１６が必要とする形状であればよく、平面状に限られない。
【００２７】
図４から図６に示すように、シール装置１６は、水密扉１０と水密隔壁７とに挟まれることで圧縮変形して、水密扉１０と水密隔壁７との間の隙間を密閉して水密性を担保する。シール装置１６は、上述したシール取付面１５に取り付けられている。このシール装置１６は、外周部１４の全周に連続するように形成されている。この実施形態におけるシール装置１６は、ゴム等により形成され、圧縮される方向に薄い平板状に形成されている。このシール装置１６のうち、親扉１１の上縁部１４ａ、左縁部１４ｃ、及び右縁部１４ｂに取り付けられる部分は、それぞれ水密扉１０の開閉する方向が厚さ方向となる帯状に形成されている。
【００２８】
シール装置１６は、それぞれ親扉１１の下縁部１４ｄに配置される、第一シール部１６ａと、第二シール部１６ｂと、第三シール部１６ｃと、を備えている。
第一シール部１６ａは、上述した下縁部１４ｄに形成された第一シール取付面２０に沿う平板状（帯状）に形成されている。
第二シール部１６ｂは、第一シール部１６ａの両端部から上方に立ち上がるように形成されている。より具体的には、図６に示すように、この実施形態における第二シール部１６ｂは、上方に立ち上がる部分において、突出部１７の角部に形成された凸曲面１７ｂに密着する凹曲面１６ｂｏを突出部１７に近い側である内側に有するとともに、この凹曲面１６ｂｏよりも曲率半径の大きい凸曲面１６ｂｔを外側に有している。この実施形態における第二シール部１６ｂの厚さＴ２は、第一シール部１６ａの厚さＴ１よりも大きく形成されている。また、この第二シール部１６ｂの上側の端面１６ｂｕは、上下方向で、突出部１７の突出部上面１７ａと同等の位置に配置されている。
【００２９】
第三シール部１６ｃは、第二シール部１６ｂにおける開放方向Ｄｏの縁部１６ｂｅから左右に（言い換えれば、水平方向に）延びるようにそれぞれ形成されている。より具体的には、第三シール部１６ｃは、上下が幅方向となり水平方向に延びる平板状（帯状）に形成されている。親扉１１の左縁部１４ｃ及び右縁部１４ｂに取り付けられたシール装置１６は、これら第三シール部１６ｃの外側の端部から上方に向かって延びている。
【００３０】
図４、図６に示すように、水密隔壁７は、開口部９の下縁に、第一シール対向面３０と、第二シール対向面３１と、第三シール対向面３２と、を備えている。これら第一シール対向面３０と、第二シール対向面３１と、第三シール対向面３２とは、水密扉１０が閉塞された際に、第一シール取付面２０と、第二シール取付面２１と、第三シール取付面２２とに対して、それぞれ対向して配置される。なお、第三シール取付面２２は、第三シール対向面３２との間に、左右方向に均一に所定のつぶし代となるように第三シール部１６ｃを挟み込み可能に配置されている。
【００３１】
開口部９の下縁には、下方に凹む凹部３５が形成されており、この凹部３５の底部３６から閉塞方向Ｄｃに延びる水平板部３７と、この水平板部３７の左右両側から上方に立ち上がる垂直板部３８とが形成されている。水平板部３７の上面が第一シール対向面３０となり、２つの垂直板部３８の互いに対向する２つの側面が第二シール対向面３１となっている。水平板部３７は、下方に配置される甲板６の上面に沿うように配置されるとともに、甲板６と当接するように配置されている。つまり、開口部９の下縁は、凹部３５が形成されていることで、甲板６から水平板部３７の板厚Ｔ３（図６参照）の分だけしか突出していない。
【００３２】
つまり、第一シール対向面３０は、水密隔壁７を開閉する方向で、水密扉１０とは反対側（閉塞方向Ｄｃ）に突出するように形成されるとともに、上方を向いて形成されている。そして、この実施形態における第一シール対向面３０は、水密扉１０が閉塞された状態で、第一シール取付面２０と実質的に平行となるように形成されているが、平行に限られない。
【００３３】
また、第二シール対向面３１は、水密扉１０の幅方向における第一シール対向面３０の両端縁すなわち、左側の端縁と、右側の端縁とからそれぞれ上方に向かって立ち上がるように形成され、それぞれ開口部９の幅方向の内側を向いて（言い換えれば、互いに対向するように）形成されている。なお、第一シール対向面３０と第二シール対向面３１との繋がる隅部には、上述した第一シール取付面２０と第二シール取付面２１との角部に形成された凸曲面１７ｂと対向する凹曲面３９が形成されている。
【００３４】
第三シール対向面３２は、第二シール対向面３１のうち水密扉１０に近い側の端縁３２ａから水平方向に延びるように形成されている。この実施形態における第三シール対向面３２は、垂直面とされている（図５参照）。
【００３５】
図７は、この発明の実施形態における第一押圧機構及び第二押圧機構の概略構成を示す斜視図である。
図７に示すように、親扉１１は、収容凹部４０と、第一押圧機構４１と、第二押圧機構４２と、を更に備えている。
収容凹部４０は、下縁部１４ｄに形成され、上述した突出部１７の内側に第一押圧機構４１と第二押圧機構４２とを収容する。収容凹部４０は、水密扉１０の開放方向Ｄｏを向いて開口する直方体状の空間を形成している。この収容凹部４０の底壁４３には、第一スリット４４が形成されている。この第一スリット４４は、底壁４３を上下方向に変位可能にするべく、底壁４３の外周縁に沿って上面視Ｕ字状に底壁４３を上下に貫通して形成されている。これにより、底壁４３の底面に形成された第一シール取付面２０は、上下方向に変位可能となっている。
【００３６】
同様に、収容凹部４０の２つの側壁４５には、それぞれ第二スリット４６が形成されている。これら第二スリット４６は、それぞれ側壁４５を左右方向に変位可能にするべく、側壁４５の外周縁に沿って矩形状に側壁４５を左右に貫通して形成されている。これにより側壁４５の外側面である第二シール取付面２１の大部分は、左右方向に変位可能となっている。なお、第一スリット４４及び第二スリット４６は、上記構成に限られない。例えば、底壁４３を片持ち梁のように形成して、底壁４３の弾性変形により底壁４３を上下に変位可能な構成としても良い。同様に、側壁４５を片持ち梁のように形成して、側壁４５の弾性変形により側壁４５を左右に変位可能な構成としても良い。
【００３７】
第一押圧機構４１は、第一シール取付面２０を上下方向に変位させる。この第一押圧機構４１は、第一シール取付面２０を上下方向に変位させるべく、上述した底壁４３を下方に押圧することが可能となっている。この実施形態における第一シール取付面２０は、底壁４３に対向する上壁４７を支点にして、ボルト等のネジ作用によって底壁４３を上下に変位させる場合を例示している。
【００３８】
例えば、親扉１１が閉塞された状態で、第一押圧機構４１により第一シール取付面２０を下方に変位させると、第一シール部１６ａが第一シール取付面２０と第一シール対向面３０との間に挟み込まれて圧縮変形する。これにより、第一シール取付面２０と第一シール対向面３０との間が密閉される。その反対に、第一押圧機構４１によって第一シール取付面２０を上方に変位させると、第一シール部１６ａに対して押圧する力が解かれる。なお、第一押圧機構４１としては、ネジ作用を利用するものに限られない。例えば、油圧等を用いた押圧機構であっても良い。また、手動に限られずアクチュエータ等を介して第一押圧機構４１の動作を制御しても良い（第二押圧機構４２も同様）。
【００３９】
第二押圧機構４２は、第二シール取付面２１を左右方向に変位させる。この第二押圧機構４２は、第二シール取付面２１を左右方向に変位させるべく、右側に配置された側壁４５を右方向に押圧するとともに、左側に配置された側壁４５を左方向に押圧することが可能となっている。この実施形態における第二シール取付面２１は、互いに対向する側壁４５同士を、ボルト等のネジ作用によりって離間、及び近接させる場合を例示している。
【００４０】
例えば、親扉１１が閉塞された状態で、第二押圧機構４２により２つの第二シール取付面２１を左右の両外側に変位させると、左右それぞれの第二シール部１６ｂが第二シール取付面２１と第二シール対向面３１との間に挟み込まれて圧縮変形する。これにより、第二シール取付面２１と第二シール対向面３１との間が密閉される。その反対に、第二押圧機構４２によって第二シール取付面２１を左右の内側に変位させると、第二シール部１６ｂに対して押圧する力が解かれる。なお、第二押圧機構４２も上述した第一押圧機構４１と同様に、ネジ作用を利用するものに限られない。
【００４１】
図３に示すように、子扉１２には、その閉塞方向Ｄｃを向く面（図３の紙面裏側を向く面）の外周部１２ａの全周に連続する子扉用シール装置５０が取り付けられている。この子扉用シール装置５０は、子扉１２が閉塞されてハンドルｈ２が閉塞位置とされたときに、子扉１２と親扉１１との間に挟まれて、子扉１２と親扉１１との間を密閉する。
【００４２】
上述した水密扉１０を閉塞して水密区画８の水密性を確保する場合、まず、開口部９を親扉１１により閉塞する。その際、ハンドルｈ１を開放位置から閉塞位置に操作する。これにより、外周部１４のうち、上縁部１４ａ、右縁部１４ｂ及び左縁部１４ｃに配置されたシール装置１６が、それぞれ親扉１１と開口部９の周縁とによって挟まれて圧縮変形するとともに、第三シール部１６ｃが下縁部１４ｄの第三シール取付面２２と、水密隔壁７の第三シール対向面３２とによって挟まれて圧縮変形する。
【００４３】
さらに、上述した第一押圧機構４１により第一シール取付面２０を変位させて第一シール部１６ａを押圧すると共に、第二シール取付面２１を変位させて第二シール部１６ｂを押圧する。これにより、外周部１４の下縁部１４ｄに取り付けられた第一シール部１６ａ、第二シール部１６ｂ、及び第三シール部１６ｃが全て圧縮変形した状態になる。つまり、水密扉１０の外周部１４と開口部９との間の隙間が、水密扉１０の全周に渡ってシール装置１６によって密閉された状態となる。なお、子扉１２は、親扉１１を閉塞する前後の何れのタイミングで閉塞しても良い。
【００４４】
したがって、上述した実施形態によれば、下方を向く第一シール取付面２０と、開口部９の下縁に形成された第一シール対向面３０との間にシール装置１６の第一シール部１６ａが挟み込まれる。さらに、それぞれ左右の外側を向く第二シール取付面２１と開口部９の下縁に形成された第二シール対向面３１との間にシール装置１６の第二シール部１６ｂが挟み込まれる。つまり、水密隔壁７の下縁に、水密扉１０の開放方向Ｄｏである水平方向を向く面を有さない部分を設けることができる。そして、床面を構成する甲板６から開口部９の下縁が突出する高さは、第一シール対向面３０を備える水平板部３７の板厚Ｔ３程度に低くすることができるため、例えば、重量物を台車等に載せて運搬する場合であっても、容易に乗り越えることができる。その結果、水密区画８に対して容易に重量物等を出し入れすることが可能となる。
【００４５】
さらに、第一押圧機構４１を設けることで、第一シール取付面２０と第一シール対向面３０との間に配置された第一シール部１６ａを十分に圧縮変形させることができる。また、第二押圧機構４２を設けることで、第二シール取付面２１と第二シール対向面３１との間に配置された第二シール部１６ｂを十分に圧縮変形させることができる。その結果、水密扉１０と水密隔壁７の開口部９の下縁との間の水密性を十分に確保することができる。
【００４６】
また、第一押圧機構４１と第二押圧機構４２とを収容凹部４０に収容させることができる。また、収容凹部４０が水密扉１０を開放する方向に開口しているので、第一押圧機構４１及び第二押圧機構４２の操作や調整を容易に行うことができる。また、収容凹部４０を形成することで、互いに対向する底壁４３と上壁４７とを形成することができるとともに、互いに対向する２つの側壁４５を形成できるので、第一押圧機構４１及び第二押圧機構４２による押圧力を、対向する壁を支点として効率よく第一シール取付面２０及び第二シール取付面２１に作用させることができる。
【００４７】
さらに、親扉１１を閉塞しつつ、子扉１２を介して水密区画８への人の出入りが可能となる。また、子扉用開口部１３の下側の開口縁に達しない程度の水が床面（下方の甲板６）に沿って流れている場合、水密区画８に対する人の出入りを可能としつつ、床面に沿って流れる水が水密区画８内に流入することを抑制できる。さらに、子扉用シール装置５０としては、一般的なシール機構を用いることができるため、開閉時の手順を簡素化できる。そのため、子扉１２を容易に開閉することができる。
【００４８】
また、第一スリット４４と第二スリット４６とを備えることで、第一シール取付面２０と第二シール取付面２１とを容易に変位させることができる。そのため、第一シール取付面２０と第二シール取付面２１とに取り付けられたシール装置１６を容易に圧縮変形させることができる。
【００４９】
さらに、第一シール対向面３０と、第二シール対向面３１と、第三シール対向面３２とを備えているので、それぞれ第一シール取付面２０と第一シール対向面３０との間にシール装置１６を安定的に挟み込むことができる。同様に、第二シール取付面２１と第二シール対向面との間にシール装置１６を安定的に挟み込むことができる。さらに、第三シール取付面２２と第三シール対向面３２との間にシール装置１６を挟み込むことができる。そのため、水密扉１０の下縁部１４ｄと開口部９の下縁との間のシール装置１６による水密性を向上できる。
【００５０】
この発明は上述した実施形態の構成に限られるものではなく、その要旨を逸脱しない範囲で設計変更可能である。
例えば、上述した実施形態では、第一シール対向面３０から第三シール対向面３２を平面状に形成する場合について説明した。しかし、第一シール取付面２０から第三シール取付面２２と共にシール装置１６を挟み込む面は、平面に限られない。
【００５１】
また、上述した実施形態では、収容凹部４０の底壁４３に第一スリット４４を形成し、側壁４５に第二スリット４６を形成する場合について説明した。しかし、底壁４３と側壁４５とを変位させることが可能な構成であればよく、スリットを備えない構成であってもよい。
さらに、上述した実施形態においては、水密扉１０が子扉１２及び子扉用開口部１３を備える場合について説明したが、これら子扉１２及び子扉用開口部１３を備えない水密扉にも適用可能である。
【００５２】
また、第一押圧機構４１と第二押圧機構４２とは、必要に応じて設ければ良く、省略するようにしても良い。
さらに、ヒンジにより水密扉１０の開閉を行うものに限られない。
【符号の説明】
【００５３】
２  船体
３  上部構造
４  舷側
５  船底
６  甲板
７  水密隔壁
８  水密区画
９  開口部
１０  水密扉
１１  親扉
１２  子扉
１２ａ  外周部
１３  子扉用開口部
１４  外周部
１４ａ  上縁部
１４ｂ  右縁部
１４ｃ  左縁部
１４ｄ  下縁部
１５  シール取付面
１６  シール装置
１６ａ  第一シール部
１６ｂ  第二シール部
１６ｃ  第三シール部
１７  突出部
２０  第一シール取付面
２１  第二シール取付面
２２  第三シール取付面
３０  第一シール対向面
３１  第二シール対向面
３２  第三シール対向面
３５  凹部
３６  底部
３７  水平板部
３８  垂直板部
３９  凹曲面
４０  収容凹部
４１  第一押圧機構
４２  第二押圧機構
４３  底壁
４４  第一スリット
４５  側壁
４６  第二スリット
４７  上壁
５０  子扉用シール装置
１００  船舶
Ｈ１  親ヒンジ
Ｈ２  子ヒンジ
ｈ１，ｈ２  ハンドル
【図１】
2018176946.tif 000003
【図２】
2018176946.tif 000004
【図３】
2018176946.tif 000005
【図４】
2018176946.tif 000006
【図５】
2018176946.tif 000007
【図６】
2018176946.tif 000008
【図７】
2018176946.tif 000009